(57)【要約】【課題】光伝送装置と下位装置との間での信号障害発生に対してもプロテクション切り替えを実施し、信号送信を継続する。【解決手段】下位装置１０３からの信号を複数に分岐するカプラ１１１と、カプラ１１１により分岐された同一内容の複数の信号を前記他の光伝送装置１０２に送信し、他の光伝送装置１０２からの同一内容の複数の信号を受信して、そのうちの１つの信号を下位装置１０３側に送信する光送受信部１１２，１１４と、光送受信部１１２，１１４と下位装置１０３との間での信号障害を検知する光受信部１１６，１１７とを備え、光受信部１１６，１１７は、信号障害を検知した場合に、光送受信部１１２，１１４に対して、当該信号障害に該当する信号に替えて、当該信号と同一内容の別信号を下位装置１０３側に送信するように指示する。【選択図】図１
2012222555.tif 000002
【特許請求の範囲】
【請求項１】
他の光伝送装置との間で、送受信を行う信号の冗長構成をとる光伝送装置において、
下位装置からの信号を複数に分岐するカプラと、
前記カプラにより分岐された同一内容の複数の信号を前記他の光伝送装置に送信し、当該他の光伝送装置からの同一内容の複数の信号を受信して、そのうちの１つの信号を前記下位装置側に送信する光送受信部と、
前記光送受信部と前記下位装置との間での信号障害を検知する光受信部とを備え、
前記光受信部は、信号障害を検知した場合に、前記光送受信部に対して、当該信号障害に該当する信号に替えて、当該信号と同一内容の別信号を前記下位装置側に送信するように指示する
ことを特徴とする光伝送装置。
【請求項２】
前記光送受信部は、前記他の光伝送装置からの同一内容の複数の信号のうち、それぞれ異なる所定の信号を受信する複数の光送受信器からなり、
前記各光送受信器から前記下位装置側に前記信号を伝送する各信号線を、単一の信号線にまとめる第２のカプラを備え、
前記光受信部は、前記各信号線で伝送される信号をモニタする
ことを特徴とする請求項１記載の光伝送装置。
【請求項３】
前記光送受信部は、前記他の光伝送装置からの同一内容の複数の信号のうち、それぞれ異なる所定の信号を受信する複数の光送受信器からなり、
前記各光送受信器から前記下位装置側に前記信号を伝送する各信号線を、単一の信号線にまとめる第２のカプラを備え、
前記光受信部は、前記単一の信号線で伝送される信号をモニタする
ことを特徴とする請求項１記載の光伝送装置。
【請求項４】
前記各信号には、前記下位装置に送信する際の優先順位が付与され、
前記光受信部は、信号障害を検知した場合に、前記光送受信部に対して、前記信号障害に該当する信号と同一内容の別信号のうち、当該信号の次に優先順位が高い信号を前記下位装置側に送信するように指示する
ことを特徴とする請求項１から請求項３のうちいずれか１項記載の光伝送装置。
【発明の詳細な説明】
【技術分野】
【０００１】
この発明は、他の光伝送装置との間で、送受信を行う信号の冗長構成をとる光伝送装置において、自機と下位装置との間での信号障害を検出する機能を有する光伝送装置に関するものである。
【背景技術】
【０００２】
光伝送システムでは、信号の冗長構成としてＯＵＰＳＲ（Ｏｐｔｉｃａｌ  Ｕｎｉｄｉｒｅｃｔｉｏｎａｌ  Ｐａｔｈ  Ｓｗｉｔｃｈ  Ｒｉｎｇ）やＯＳＰＰＲ（Ｏｐｔｉｃａｌ  Ｓｈａｒｅｄ  Ｐａｔｈ  Ｐｒｏｔｅｃｔｉｏｎ  Ｒｉｎｇ）等のプロテクション方式が利用されることが多い（例えば特許文献１参照）。
【０００３】
例えば、ＯＵＰＳＲ方式の光伝送システムにおいて、通常時には、第１の光伝送装置の光送受信器は、対応する下位装置からの信号を現用系信号と予備系信号に２分岐して、第２の光伝送装置に送信している。そして、第２の光伝送装置は、現用側光送受信器で現用系信号を受信し、予備側光送受信器で予備系信号を受信する。そして、現用側光送受信器は、受信した現用系信号を下位装置に送信する。一方、予備側光送受信器は、受信した予備系信号を下位装置には送信せず停止させる。また、第２の光伝送装置から第１の光伝送装置への信号送信も同様に動作する。
【０００４】
ここで、第１の光伝送装置と第２の光伝送装置との間で現用系信号に障害が発生した場合、第２の光伝送装置は、現用側光送受信器が現用系信号の障害発生を検知し、下位装置への信号送信を停止する。また、予備側光送受信器は、受信した予備系信号を下位装置に送信する。これにより、第１の光伝送装置と第２の光伝送装置との間で現用系信号に障害が発生した場合にも、この現用系信号に替えて予備系信号を用いることで、信号送信を継続することが可能となる。このように、信号障害が発生した際に、下位装置への送信信号を切り替える動作をプロテクション切り替えと呼ぶ。
【先行技術文献】
【特許文献】
【０００５】
【特許文献１】特開２００６−１９１２１２号公報
【発明の概要】
【発明が解決しようとする課題】
【０００６】
従来の光伝送システムでは、光伝送装置間での信号障害発生に対してプロテクション切り替えを実施している。しかしながら、光伝送装置と下位装置との間での信号障害発生に対しては、光伝送装置側で障害発生を検出する手段がないため、プロテクション切り替えを実施することができないという課題があった。そのため、光伝送装置と下位装置との間で現用系信号に障害が発生した場合には、予備系信号に切り替えることができず、信号送信を継続することができなくなってしまう。
【０００７】
この発明は、上記のような課題を解決するためになされたもので、光伝送装置と下位装置との間での信号障害発生に対してもプロテクション切り替えを実施することができ、信号送信を継続することができる光伝送装置を提供することを目的としている。
【課題を解決するための手段】
【０００８】
この発明に係る光伝送装置は、下位装置からの信号を複数に分岐するカプラと、カプラにより分岐された同一内容の複数の信号を他の光伝送装置に送信し、当該他の光伝送装置からの同一内容の複数の信号を受信して、そのうちの１つの信号を下位装置側に送信する光送受信部と、光送受信部と下位装置との間での信号障害を検知する光受信部とを備え、光受信部は、信号障害を検知した場合に、光送受信部に対して、当該信号障害に該当する信号に替えて、当該信号と同一内容の別信号を下位装置側に送信するように指示するものである。
【発明の効果】
【０００９】
この発明によれば、上記のように構成したので、光伝送装置と下位装置との間での信号障害発生に対してもプロテクション切り替えを実施することができ、信号送信を継続することができるため、高品質なサービス提供が可能となる。
【図面の簡単な説明】
【００１０】
【図１】この発明の実施の形態１に係る光伝送システムの構成を示す図である（通常時）。
【図２】この発明の実施の形態１に係る光伝送システムによる動作を示すフローチャートである（通常時）。
【図３】この発明の実施の形態１に係る光伝送システムの構成を示す図である（現用系信号の障害発生時）。
【図４】この発明の実施の形態１に係る光伝送システムによる動作を示すフローチャートである（障害発生時）。
【図５】この発明の実施の形態２に係る光伝送システムの構成を示す図である（通常時）。
【図６】この発明の実施の形態２に係る光伝送システムの構成を示す図である（現用系信号の障害発生時）。
【図７】この発明の実施の形態３に係る光伝送システムの構成を示す図である（通常時）。
【図８】この発明の実施の形態３に係る光伝送システムの構成を示す図である（現用系信号の障害発生時）。
【図９】この発明の実施の形態３に係る光伝送システムによる動作を示すフローチャートである（障害発生時）。
【図１０】この発明の実施の形態３に係る光伝送システムの構成を示す図である（第１の予備系信号の障害発生時）。
【発明を実施するための形態】
【００１１】
以下、この発明の実施の形態について図面を参照しながら詳細に説明する。
実施の形態１．
図１はこの発明の実施の形態１に係る光伝送システムの構成を示す図である。
光伝送システムは、図１に示すように、互いに信号の送受信を行う光伝送装置１０１，１０２と、光伝送装置１０１との間で信号の送受信を行う下位装置１０３と、光伝送装置１０２との間で信号の送受信を行う下位装置１０４とから構成されている。また、光伝送装置１０１，１０２では、信号の冗長構成をとるため、下位装置１０３，１０４からの信号を２分岐して、現用系信号１４１，１４２と予備系信号１４３，１４４として送受信を行っている。
【００１２】
この光伝送装置１０１は、カプラ１１１，１１３，１１５，１１８、光送受信器１１２，１１４および光受信器１１６，１１７を有している。なお、通常時では、光送受信器１１２、光カプラ１１３および光受信器１１６が、現用系信号１４２を受信・処理する現用系機能部であるとし、光送受信器１１４、光カプラ１１５および光受信器１１７が、予備系信号１４４を受信・処理する予備系機能部であるとして、その際の動作内容を説明する。
【００１３】
カプラ１１１は、下位装置１０３から送信された信号１３１を２分岐し、一方の信号を光送受信器１１２に送信し、他方の信号を光送受信器１１４に送信するものである。
光送受信器１１２は、カプラ１１１からの信号を現用系信号１４１として光伝送装置１０２の光送受信器１２２に送信し、また、光送受信器１２２から現用系信号１４２を受信して、カプラ１１３に送信するものである。
また、光送受信器１１２は、受信した現用系信号１４２をモニタして、自機と光送受信器１２２との間で信号障害が発生していないかを検知する。ここで光送受信器１１２は、自機と光送受信器１２２との間での信号障害を検知した場合には、自機による下位装置１０３側への信号送信を停止し、光送受信器１１４に対して、下位装置１０３側への信号送信を開始するように指示する。また、光送受信器１１２は、光受信器１１６で信号障害が検知された場合には、光受信器１１６からの指示に従い、自機による下位装置１０３側への信号送信を停止する。
カプラ１１３は、光送受信器１１２からの現用系信号１４２を２分岐し、一方の信号をカプラ１１８に送信し、他方の信号を光受信器１１６に送信するものである。
【００１４】
光送受信器１１４は、カプラ１１１からの信号を予備系信号１４３として光伝送装置１０２の光送受信器１２４に送信し、また、光送受信器１２４から予備系信号１４４を受信するものである。そして、光送受信器１１４は、通常時（光送受信器１１２または光受信器１１６で信号障害が検知されていない場合）には、受信した予備系信号１４４をカプラ１１５には送信せず停止させる。一方、現用系信号１４２の障害発生時（光送受信器１１２または光受信器１１６で信号障害が検知された場合）には、光送受信器１１２または光受信器１１６からの指示に従い、受信した予備系信号１４４をカプラ１１５に送信する。
カプラ１１５は、光送受信器１１４からの予備系信号１４４を２分岐し、一方の信号をカプラ１１８に送信し、他方の信号を光受信器１１７に送信するものである。
【００１５】
光受信器（光受信部）１１６は、カプラ１１３からの信号をモニタして、光送受信器１１２とカプラ１１３との間で信号障害が発生していないかを検知するものである。ここで、光受信器１１６は、光送受信器１１２とカプラ１１３との間での信号障害を検知した場合には、光送受信器１１２に対して、下位装置１０３側への信号送信を停止するように指示し、光送受信器１１４に対して、下位装置１０３側への信号送信を開始するように指示する。
光受信器（光受信部）１１７は、カプラ１１５からの信号をモニタして、光送受信器１１４とカプラ１１５との間で信号障害が発生していないかを検知するものであるが、予備系機能部として機能している間では信号は流れず、動作しない。
カプラ（第２のカプラ）１１８は、各光送受信器１１２，１１４から下位装置１０３側に信号を伝送する信号線を、単一の信号線にまとめるものであり、カプラ１１３またはカプラ１１５からの信号を下位装置１０３に送信するものである。
【００１６】
なお、光送受信器１１２，１１４は、カプラ１１１により分岐された同一内容の複数の信号を光伝送装置１０２に送信し、光伝送装置１０２からの同一内容の複数の信号を受信して、そのうちの１つの信号を下位装置１０３側に送信する光送受信部として機能する。
【００１７】
また、現用系信号１４２に障害が発生して、プロテクション切り替えが実施された場合（予備系信号１４４が現用系に切り替えられた場合）には、予備系機能部は、上記の現用系機能部と同様の動作を行う。
また、光伝送装置１０２についても、光伝送装置１０１と同一の構成であり、各部の動作説明を省略する。なお、通常時では、光送受信器１２２、光カプラ１２３および光受信器１２６が、現用系信号１４１を受信・処理する現用系機能部であるとし、光送受信器１２４、光カプラ１２５および光受信器１２７が、予備系信号１４３を受信・処理する予備系機能部であるとする。
【００１８】
次に、上記のように構成された光伝送システムによる動作について説明する。
まず、通常時に光伝送装置１０１から光伝送装置１０２に信号送信を行う際の動作について説明する。図２はこの発明の実施の形態１に係る光伝送システムによる動作（通常時）を示すフローチャートである。
光伝送システムによる通常時での動作では、図２に示すように、まず、カプラ１１１は、下位装置１０３からの信号１３１を２分岐し、一方の信号を光送受信器１１２に送信し、他方の信号を光送受信器１１４に送信する（ステップＳＴ２１）。
【００１９】
次いで、光送受信器１１２は、カプラ１１１からの信号を現用系信号１４１として光送受信器１２２に送信し、光送受信器１１４は、カプラ１１１からの信号を予備系信号１４３として光送受信器１２４に送信する（ステップＳＴ２２）。
【００２０】
次いで、光送受信器１２２は、光送受信器１１２からの現用系信号１４１を受信し、光送受信器１２４は、光送受信器１１４からの予備系信号１４３を受信する（ステップＳＴ２３）。そして、光送受信器１２２は、この現用系信号１４１をカプラ１２３に送信する。一方、光送受信器１２４は、通常時（光送受信器１２２または光受信器１２６で信号障害が検知されていない場合）には、この予備系信号１４３を下位装置１０４側（カプラ１２５）には送信しない。また、光送受信器１２２は、受信した現用系信号１４１をモニタして、自機と光送受信器１１２との間での信号障害検知を行う。
【００２１】
次いで、カプラ１２３は、光送受信器１２２からの現用系信号１４１を２分岐し、一方の信号をカプラ１２８を介して下位装置１０４に送信し、他方の信号を光受信器１２６に送信する（ステップＳＴ２４）。そして、光受信器１２６は、カプラ１２３からの信号をモニタして、光送受信器１２２とカプラ１２３との間での信号障害検知を行う。
これにより、通常時では、下位装置１０４に、予備系信号１４３は送信されず、現用系信号１４１のみが送信される。
【００２２】
次に、図３に示すように、光送受信器１２２とカプラ１２３との間で信号障害が発生した場合（符号Ａの部分）での動作について説明する。図４はこの発明の実施の形態１に係る光伝送システムによる動作（障害発生時）を示すフローチャートである。
光伝送システムによる現用系信号１４１の障害発生時での動作では、図４に示すように、光受信器１２６は、光送受信器１２２とカプラ１２３との間での信号障害を検知すると（ステップＳＴ４１‘ＹＥＳ’）、光送受信器１２２に対して、下位装置１０４側への信号送信を停止するように指示し、光送受信器１２４に対して、下位装置１０４側への信号送信を開始するように指示する（ステップＳＴ４２）。これにより、光送受信器１２２は、下位装置１０４側への信号送信を停止する。
次いで、光送受信器１２４は、光受信器１２６からの指示に従い、受信した予備系信号１４３をカプラ１２５に送信する（ステップＳＴ４３）。
【００２３】
次いで、カプラ１２５は、光送受信器１２４からの予備系信号１４３を２分岐し、一方の信号をカプラ１２８を介して下位装置１０４に送信し、他方の信号を光受信器１２７に送信する（ステップＳＴ４４）。そして、光受信器１２７は、カプラ１２５からの信号をモニタして、光送受信器１２４とカプラ１２５との間での信号障害検知を行う。
【００２４】
このように動作することで、光送受信器１２２と下位装置１０４との間（光送受信器１２２とカプラ１２３との間）で信号障害が発生した場合にも、この信号障害を検知することができ、現用系信号１４１から予備系信号１４３に切り替えることができる。
なお、光伝送装置１０１，１０２間（光送受信器１１２と光送受信器１２２との間）での信号障害については、従来通り、光送受信器１２２で検知することで、プロテクション切り替えを実施することが可能である。
【００２５】
また上記では、光伝送装置１０１から光伝送装置１０２に信号送信を行う場合について示したが、光伝送装置１０２から光伝送装置１０１に信号送信を行う場合についても同様である。
【００２６】
以上のように、この実施の形態１によれば、光送受信器１１２，１１４（１２２，１２４）とカプラ１１８（１２８）との間の各信号線を流れる信号をモニタして、信号障害を検知する光受信器１１６，１１７（１２６，１２７）を設けるように構成したので、光伝送装置１０１（１０２）と下位装置１０３（１０４）との間で信号障害が発生した場合でも、プロテクション切り替えを実施することができ、信号送信を継続することができるため、高品質なサービス提供が可能となる。
【００２７】
実施の形態２．
実施の形態１では、例えば光伝送装置１０１において、各光送受信器１１２，１１４とカプラ１１８との間で伝送される各信号をモニタする場合について示したが、実施の形態２では、カプラ１１８の後段で伝送される単一の信号をモニタする場合について示す。
図５はこの発明の実施の形態２に係る光伝送システムの構成を示す図である。
光伝送システムは、図５に示すように、互いに信号の送受信を行う光伝送装置２０１，２０２と、光伝送装置２０１との間で信号の送受信を行う下位装置２０３と、光伝送装置２０２との間で信号の送受信を行う下位装置２０４とから構成されている。また、伝送装置２０１，２０２では、信号の冗長構成をとるため、下位装置２０３，２０４からの信号を２分岐して、現用系信号２４１，２４２と予備系信号２４３，２４４として送受信を行っている。
【００２８】
この光伝送装置２０１は、光カプラ２１１，２１４，２１５、光送受信器２１２，２１３および光受信器２１６を有している。なお、通常時では、光送受信器２１２が、現用系信号２４２を受信・処理する現用系機能部であるとし、光送受信器２１３が、予備系信号２４４を受信・処理する予備系機能部であるとして、その際の動作内容を説明する。
【００２９】
カプラ２１１は、下位装置２０３から送信された信号２３１を２分岐し、一方の信号を光送受信器２１２に送信し、他方の信号を光送受信器２１３に送信するものである。
光送受信器２１２は、カプラ２１１からの信号を現用系信号２４１として光伝送装置２０２の光送受信器２２２に送信し、また、光送受信器２２２から現用系信号２４２を受信して、カプラ２１４に送信するものである。
また、光送受信器２１２は、受信した現用系信号２４２をモニタして、自機と光送受信器２２２との間で信号障害が発生していないかを検知する。ここで光送受信器２１２は、自機と光送受信器２２２との間での信号障害を検知した場合には、自機による下位装置２０３側への信号送信を停止し、光送受信器２１３に対して、下位装置２０３側への信号送信を開始するように指示する。また、光送受信器２１２は、光受信器２１６で信号障害が検知された場合には、光受信器２１６からの指示に従い、自機による下位装置２０３側への信号送信を停止する。
【００３０】
光送受信器２１３は、カプラ２１１からの信号を予備系信号２４３として光伝送装置２０２の光送受信器２２３に送信し、また、光送受信器２２３から予備系信号２４４を受信するものである。そして、光送受信器２１３は、通常時（光送受信器２１２または光受信器２１６で信号障害が検知されていない場合）には、受信した予備系信号２４４をカプラ２１４には送信せず停止させる。一方、現用系信号２４２の障害発生時（光送受信器２１２または光受信器２１６で信号障害が検知された場合）には、光送受信器２１２または光受信器２１６からの指示に従い、受信した予備系信号２４４をカプラ２１４に送信する。
【００３１】
カプラ（第２のカプラ）２１４は、各光送受信器２１２，２１３から下位装置２０３側に信号を伝送する信号線を、単一の信号線にまとめるものであり、光送受信器２１２または光送受信器２１３からの信号をカプラ２１５に送信するものである。
カプラ２１５は、カプラ２１４からの信号を２分岐し、一方の信号を下位装置２０３に送信し、他方の信号を光受信器２１６に送信するものである。
【００３２】
光受信器（光受信部）２１６は、カプラ２１５からの信号をモニタして、通常時には、光送受信器２１２とカプラ２１５との間で信号障害が発生していないかを検知し、プロテクション切り替え後（予備系信号２４４が現用系に切り替えられた後）は、光送受信器２１３とカプラ２１５との間で信号障害が発生していないかを検知するものである。ここで、光受信器２１６は、光送受信器２１２とカプラ２１５との間での信号障害を検知した場合には、光送受信器２１２に対して、下位装置２０３側への信号送信を停止するように指示し、光送受信器２１３に対して、下位装置２０３側への信号送信を開始するように指示する。また、プロテクション切り替え後に、光送受信器２１３とカプラ２１５との間での信号障害を検知した場合には、光送受信器２１３に対して、下位装置２０３側への信号送信を停止するように指示する。
【００３３】
なお、光送受信器２１２，２１３は、カプラ２１１により分岐された同一内容の複数の信号を光伝送装置２０２に送信し、光伝送装置２０２からの同一内容の複数の信号を受信して、そのうちの１つの信号を下位装置２０３側に送信する光送受信部として機能する。
【００３４】
また、現用系信号２４２に障害が発生して、プロテクション切り替えが実施された場合には、予備系機能部は、上記の現用系機能部と同様の動作を行う。
また、光伝送装置２０２についても、光伝送装置２０１と同一の構成であり、各部の動作説明を省略する。なお以下では、光送受信器２２２が、現用系信号２４１を受信・処理する現用系機能部であるとし、光送受信器２２３が、予備系信号２４３を受信・処理する予備系機能部であるとする。
【００３５】
次に、上記のように構成された光伝送システムによる動作について説明する。
まず、通常時に光伝送装置２０１から光伝送装置２０２に信号送信を行う際の動作について説明する。なお実施の形態２に係る光伝送システムによる通常時の動作概要は、図２に示す実施の形態１に係る光伝送システムによる通常時の動作概要と同様であり、図２を用いて説明を行う。
光伝送システムによる通常時での動作では、図２に示すように、まず、カプラ２１１は、下位装置２０３からの信号２３１を２分岐し、一方の信号を光送受信器２１２に送信し、他方の信号を光送受信器２１３に送信する（ステップＳＴ２１）。
【００３６】
次いで、光送受信器２１２は、カプラ２１１からの信号を現用系信号２４１として光送受信器２２２に送信し、光送受信器２１３は、カプラ２１１からの信号を予備系信号２４３として光送受信器２２３に送信する（ステップＳＴ２２）。
【００３７】
次いで、光送受信器２２２は、光送受信器２１２からの現用系信号２４１を受信し、光送受信器２２３は、光送受信器２１３からの予備系信号２４３を受信する（ステップＳＴ２３）。そして、光送受信器２２２は、この現用系信号２４１をカプラ２２４を介してカプラ２２５に送信する。一方、光送受信器２２３は、通常時（光送受信器２２２または光受信器２２６で信号障害が検知されていない場合）には、この予備系信号２４３を下位装置２０４側（カプラ２２４）には送信しない。また、光送受信器２２２は、受信した現用系信号２４１をモニタして、自機と光送受信器２１２との間での信号障害検知を行う。
【００３８】
次いで、カプラ２２５は、光送受信器２２２からの現用系信号２４１を２分岐し、一方の信号を下位装置２０４に送信し、他方の信号を光受信器２２６に送信する（ステップＳＴ２４）。そして、光受信器２２６は、カプラ２２５からの信号をモニタして、光送受信器２２２とカプラ２２５との間での信号障害検知を行う。
これにより、通常時では、下位装置２０４に、予備系信号２４３は送信されず、現用系信号２４１のみが送信される。
【００３９】
次に、図６に示すように、光送受信器２２２とカプラ２２４との間で信号障害が発生した場合（符号Ｂの部分）での動作について説明する。なお実施の形態２に係る光伝送システムによる障害発生時の動作概要は、図４に示す実施の形態１に係る光伝送システムによる障害発生時の動作概要と同様であり、図４を用いて説明を行う。
光伝送システムによる現用系信号２４１の障害発生時での動作では、図４に示すように、光受信器２２６は、光送受信器２２２とカプラ２２５との間での信号障害を検知すると（ステップＳＴ４１‘ＹＥＳ’）、光送受信器２２２に対して、下位装置２０４側への信号送信を停止するように指示し、光送受信器２２３に対して、下位装置２０４側への信号送信を開始するように指示する（ステップＳＴ４２）。これにより、光送受信器２２２は、下位装置２０４側への信号送信を停止する。
次いで、光送受信器２２３は、光受信器２２６からの指示に従い、受信した予備系信号２４３をカプラ２２４を介してカプラ２２５に送信する（ステップＳＴ４３）。
【００４０】
次いで、カプラ２２５は、光送受信器２２３からの予備系信号２４３を２分岐し、一方の信号を下位装置２０４に送信し、他方の信号を光受信器２２６に送信する（ステップＳＴ４４）。そして、光受信器２２６は、カプラ２２５からの信号をモニタして、光送受信器２２３とカプラ２２５との間での信号障害検知を行う。
【００４１】
このように動作することで、光送受信器２２２と下位装置２０４との間（光送受信器２２２とカプラ２２５との間）で信号障害が発生した場合にも、この信号障害を検知することができ、現用系信号２４１から予備系信号２４３に切り替えることができる。
なお、光伝送装置２０１，２０２間（光送受信器２１２と光送受信器２２２との間）での信号障害については、従来通り、光送受信器２２２で検知することで、プロテクション切り替えを実施することが可能である。
【００４２】
また上記では、光伝送装置２０１から光伝送装置２０２に信号送信を行う場合について示したが、光伝送装置２０２から光伝送装置２０１に信号送信を行う場合についても同様である。
【００４３】
以上のように、この実施の形態２によれば、カプラ２１４（２２４）と下位装置２０３（２０４）との間の信号線を流れる信号をモニタして、信号障害を検知する光受信器２１６（２２６）を設けるように構成したので、光受信器を複数設ける必要がなく、実施の形態１における効果に加えて、部品点数を削減することができ、コストを削減することができる。
【００４４】
実施の形態３．
実施の形態１，２では、１組の現用系信号と予備系信号を設けた場合について示したが、実施の形態３では、現用系信号と複数の予備系信号を設けた場合について示す。
図７はこの発明の実施の形態３に係る光伝送システムの構成を示す図である。
光伝送システムは、図７に示すように、互いに信号の送受信を行う光伝送装置３０１，３０２と、光伝送装置３０１との間で信号の送受信を行う下位装置３０３と、光伝送装置３０２との間で信号の送受信を行う下位装置３０４とから構成されている。また、伝送装置３０１，３０２では、信号の冗長構成をとるため、下位装置３０３，３０４からの信号を３分岐して、現用系信号３４１，３４２と第１の予備系信号３４３，３４４と第２の予備系信号３４５，３４６として送受信を行っている。なお、各信号の優先順位は、現用系信号３４１，３４２、第１の予備系信号３４３，３４４、第２の予備系信号３４５，３４６の順であるとする。
【００４５】
この光伝送装置３０１は、光カプラ３１１，３１５，３１６、光送受信器３１２〜３１４および光受信器３１７を有している。なお、通常時では、光送受信器３１２が、現用系信号３４２を受信・処理する現用系機能部であるとし、光送受信器３１３が、第１の予備系信号３４４を受信・処理する第１の予備系機能部であるとし、光送受信器３１４が、第２の予備系信号３４６を受信・処理する第２の予備系機能部であるとして、その際の動作内容を説明する。
【００４６】
カプラ３１１は、下位装置３０３から送信された信号３３１を３分岐し、光送受信器３１２〜３１４にそれぞれ送信するものである。
光送受信器３１２は、カプラ３１１からの信号を現用系信号３４１として光伝送装置３０２の光送受信器３２２に送信し、また、光送受信器３２２から現用系信号３４２を受信して、カプラ３１５に送信するものである。
また、光送受信器３１２は、受信した現用系信号３４２をモニタして、自機と光送受信器３２２との間で信号障害が発生していないかを検知する。ここで光送受信器３１２は、自機と光送受信器３２２との間での信号障害を検知した場合には、自機による下位装置３０３側への信号送信を停止し、現用系信号３４２の次に優先順位の高い信号（第１の予備系信号３４４）を受信する光送受信器３１３に対して、下位装置３０３側への信号送信を開始するように指示する。また、光送受信器３１２は、光受信器３１７で信号障害が検知された場合には、光受信器３１７からの指示に従い、自機による下位装置３０３側への信号送信を停止する。
【００４７】
光送受信器３１３は、カプラ３１１からの信号を第１の予備系信号３４３として光伝送装置３０２の光送受信器３２３に送信し、また、光送受信器３２３から第１の予備系信号３４４を受信するものである。そして、光送受信器３１３は、通常時（光送受信器３１２または光受信器３１７で信号障害が検知されていない場合）には、受信した第１の予備系信号３４４をカプラ３１５には送信せず停止させる。一方、現用系信号３４２の障害発生時（光送受信器３１２または光受信器３１７で信号障害が検知された場合）には、光送受信器３１２または光受信器３１７からの指示に従い、受信した第１の予備系信号３４４をカプラ３１５に送信する。
【００４８】
光送受信器３１４は、カプラ３１１からの信号を第２の予備系信号３４５として光伝送装置３０２の光送受信器３２４に送信し、また、光送受信器３２４から第２の予備系信号３４６を受信するものである。そして、光送受信器３１４は、通常時または現用系信号３４２の障害発生時には、受信した第２の予備系信号３４６をカプラ３１６には送信せず停止させる。一方、第１の予備系信号３４４の障害発生時（光送受信器３１３または光受信器３１７で信号障害が検知された場合）には、光送受信器３１３または光受信器３１７からの指示に従い、受信した第２の予備系信号３４６をカプラ３１６に送信する。
【００４９】
カプラ３１５は、光送受信器３１２または光送受信器３１３からの信号をカプラ３１６に送信するものである。
カプラ３１６は、カプラ３１５または光送受信器３１４からの信号を２分岐し、一方の信号を下位装置３０３に送信し、他方の信号を光受信器３１７に送信するものである。
なおカプラ３１５，３１６は、各光送受信器３１２〜３１４から下位装置３０３側に信号を伝送する信号線を、単一の信号線にまとめる第２のカプラとして機能する。
【００５０】
光受信器（光受信部）３１７は、カプラ３１６からの信号をモニタして、通常時には、光送受信器３１２とカプラ３１６との間で信号障害が発生していないかを検知し、第１のプロテクション切り替え後（第１の予備系信号３４４が現用系に切り替えられた後）は、光送受信器３１３とカプラ３１６との間で信号障害が発生していないかを検知し、第２のプロテクション切り替え後（第２の予備系信号３４６が現用系に切り替えられた場合）は、光送受信器３１４とカプラ３１６との間で信号障害が発生していないかを検知するものである。ここで、光受信器３１７は、光送受信器３１２とカプラ３１６との間での信号障害を検知した場合には、光送受信器３１２に対して、下位装置３０３側への信号送信を停止するように指示し、現用系信号３４２の次に優先順位の高い信号（第１の予備系信号３４４）を受信する光送受信器３１３に対して、下位装置３０３側への信号送信を開始するように指示する。また、第１のプロテクション切り替え後に、光送受信器３１３とカプラ３１６との間での信号障害を検知した場合には、光送受信器３１３に対して、下位装置３０３側への信号送信を停止するように指示し、第１の予備系信号３４４の次に優先順位の高い信号（第２の予備系信号３４６）を受信する光送受信器３１４に対して、下位装置３０３側への信号送信を開始するように指示する。また、第２のプロテクション切り替え後に、光送受信器３１４とカプラ３１６との間で信号障害を検知した場合には、光送受信器３１４に対して、下位装置３０３側への信号送信を停止するように指示する。
【００５１】
なお、光送受信器３１２〜３１４は、カプラ３１１により分岐された同一内容の複数の信号を光伝送装置３０２に送信し、光伝送装置３０２からの同一内容の複数の信号を受信して、そのうちの１つの信号を下位装置３０３側に送信する光送受信部として機能する。
【００５２】
また、現用系信号３４２に障害が発生して、第１のプロテクション切り替えが実施された場合には、第１の予備系機能部は、上記の現用系機能部と同様の動作を行う。さらに、第１の予備系信号３４４に障害が発生して、第２のプロテクション切り替えが実施された場合には、第２の予備系機能部は、上記の現用系機能部と同様の動作を行う。
また、光伝送装置３０２についても、光伝送装置３０１と同一の構成であり、各部の動作説明を省略する。なお、通常時では、光送受信器３２２が、現用系信号３４１を受信・処理する現用系機能部であるとし、光送受信器３２３が、第１の予備系信号３４３を受信・処理する第１の予備系機能部であるとし、光送受信器３２４が、第２の予備系信号３４５を受信・処理する第２の予備系機能部であるとする。
【００５３】
次に、上記のように構成された光伝送システムによる動作について説明する。
まず、通常時に光伝送装置３０１から光伝送装置３０２に信号送信を行う際の動作について説明する。なお実施の形態３に係る光伝送システムによる通常時の動作概要は、図２に示す実施の形態１に係る光伝送システムによる通常時の動作概要と同様であり、図２を用いて説明を行う。
光伝送システムによる通常時での動作では、図２に示すように、まず、カプラ３１１は、下位装置３０３からの信号３３１を３分岐し、光送受信器３１３〜３１４にそれぞれ送信する（ステップＳＴ２１）。
【００５４】
次いで、光送受信器３１２は、カプラ３１１からの信号を現用系信号３４１として光送受信器３２２に送信し、光送受信器３１３は、カプラ３１１からの信号を第１の予備系信号３４３として光送受信器３２３に送信し、光送受信器３１４は、カプラ３１１からの信号を第２の予備系信号３４５として光送受信器３２４に送信する（ステップＳＴ２２）。
【００５５】
次いで、光送受信器３２２は、光送受信器３１２からの現用系信号３４１を受信し、光送受信器３２３は、光送受信器３１３からの第１の予備系信号３４３を受信し、光送受信器３２４は、光送受信器３１４からの第２の予備系信号３４５を受信する（ステップＳＴ２３）。そして、光送受信器３２２は、この現用系信号３４１をカプラ３２５を介してカプラ３２６に送信する。一方、光送受信器３２３，３２４は、通常時（光送受信器３２２または光受信器３２７で信号障害が検知されていない場合）には、この第１，２の予備系信号３４３，３４５を下位装置３０４側（カプラ３２５，３２６）には送信しない。また、光送受信器３２２は、受信した現用系信号３４１をモニタして、自機と光送受信器３１２との間での信号障害検知を行う。
【００５６】
次いで、カプラ３２６は、光送受信器３２２からの現用系信号３４１を２分岐し、一方の信号を下位装置３０４に送信し、他方の信号を光受信器３２７に送信する（ステップＳＴ２４）。そして、光受信器３２７は、カプラ３２６からの信号をモニタして、光送受信器３２２とカプラ３２６との間での信号障害検知を行う。
これにより、通常時では、下位装置３０４に、第１，２の予備系信号３４３，３４５は送信されず、現用系信号３４１のみが送信される。
【００５７】
次に、図８に示すように、光送受信器３２２とカプラ３２５との間で信号障害が発生した場合（符号Ｃの部分）での動作について説明する。図９はこの発明の実施の形態３に係る光伝送システムによる動作（障害発生時）を示すフローチャートである。
光伝送システムによる現用系信号３４１の障害発生時での動作では、図９に示すように、光受信器３２７は、光送受信器３２２とカプラ３２６との間での信号障害を検知すると（ステップＳＴ９１‘ＹＥＳ’）、光送受信器３２２に対して、下位装置３０４側への信号送信を停止するように指示し、現用系信号３４１の次に優先順位の高い信号（第１の予備系信号３４３）を受信する光送受信器３２３に対して、下位装置３０４側への信号送信を開始するように指示する（ステップＳＴ９２）。これにより、光送受信器３２２は、下位装置３０４側への信号送信を停止する。
次いで、光送受信器３２３は、光受信器３２７からの指示に従い、受信した第１の予備系信号３４３をカプラ３２５を介してカプラ３２６に送信する（ステップＳＴ９３）。
【００５８】
次いで、カプラ３２６は、光送受信器３２３からの第１の予備系信号３４３を２分岐し、一方の信号を下位装置３０４に送信し、他方の信号を光受信器３２７に送信する（ステップＳＴ９４）。そして、光受信器３２７は、カプラ３２６からの信号をモニタして、光送受信器３２３とカプラ３２６との間での信号障害検知を行う。なお、光送受信器３２４では、受信した第２の予備系信号３４５の送信停止状態を継続する。
【００５９】
このように動作することで、光送受信器３２２と下位装置３０４との間（光送受信器３２２とカプラ３２６との間）で信号障害が発生した場合にも、この信号障害を検知することができ、現用系信号３４１から、次に優先順位の高い第１の予備系信号３４３に切り替えることができる。
なお、光伝送装置３０１，３０２間（光送受信器３１２と光送受信器３２２との間）での信号障害については、従来通り、光送受信器３２２で検知することで、プロテクション切り替えを実施することが可能である。
【００６０】
次に、図１０に示すように、第１のプロテクション切り替えの後に、さらに光送受信器３２３とカプラ３２５との間でも信号障害が発生した場合（符号Ｄの部分）での動作について説明する。なお実施の形態３に係る光伝送システムによる第１の予備系信号３４３の障害発生時の動作概要は、図９に示す現用系信号３４１の障害発生時の動作概要と同様であり、図９を用いて説明を行う。
光伝送システムによる第１の予備系信号３４３の障害発生時での動作では、図９に示すように、光受信器３２７は、光送受信器３２３とカプラ３２６との間での信号障害を検知すると（ステップＳＴ９１‘ＹＥＳ’）、光送受信器３２３に対して、下位装置３０４側への信号送信を停止するように指示し、第１の予備系信号３４３の次に優先順位の高い信号（第２の予備系信号３４５）を受信する光送受信器３２４に対して、下位装置３０４側への信号送信を開始するように指示する（ステップＳＴ９２）。これにより、光送受信器３２３は、下位装置３０４側への信号送信を停止する。
次いで、光送受信器３２４は、光受信器３２７からの指示に従い、受信した第２の予備系信号３４５をカプラ３２６に送信する（ステップＳＴ９３）。
【００６１】
次いで、カプラ３２６は、光送受信器３２４からの第２の予備系信号３４５を２分岐し、一方の信号を下位装置３０４に送信し、他方の信号を光受信器３２７に送信する（ステップＳＴ９４）。そして、光受信器３２７は、カプラ３２６からの信号をモニタして、光送受信器３２４とカプラ３２６との間での信号障害検知を行う。
【００６２】
このように動作することで、第１のプロテクション切り替え後に、さらに光送受信器３２３と下位装置３０４との間（光送受信器３２３とカプラ３２６との間）でも信号障害が発生した場合にも、この信号障害を検知することができ、第１の予備系信号３４３から、次に優先順位の高い第２の予備系信号３４５に切り替えることができる。
なお、光伝送装置３０１，３０２間（光送受信器３１３と光送受信器３２３との間）での信号障害については、従来通り、光送受信器３２３で検知することで、プロテクション切り替えを実施することが可能である。
【００６３】
また上記では、光伝送装置３０１から光伝送装置３０２に信号送信を行う場合について示したが、光伝送装置３０２から光伝送装置３０１に信号送信を行う場合についても同様である。
【００６４】
以上のように、この実施の形態３によれば、現用系信号および複数の予備系信号を設けて、各信号に対して、下位装置３０３，３０４に送信する際の優先順位を付加し、この優先順位に従ってプロテクション切り替えを実施するように構成したので、実施の形態１における効果に加えて、第１のプロテクション切り替えを実施した後にさらに信号障害が発生した場合に第２のプロテクション切り替えを実施することができ、柔軟に対応することができる。
【００６５】
なお、実施の形態３では、１つの現用系信号３４１，３４２と２つの予備系信号３４３〜３４６を用いた場合について示したが、これに限るものではなく、３つ以上の予備系信号を用いてもよい。
また、実施の形態３では、現用系信号３４１，３４２、第１，２の予備系信号３４３〜３４６が通過する各信号線を単一の信号線にまとめるカプラ３２５，３２６の後段に光受信器３２７を設けた場合について示したが、実施の形態１のように、このカプラ３２５，３２６の前段に光受信器３２７を設けるようにしてもよい。
【００６６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６７】
１０１，１０２  光伝送装置、１０３，１０４  下位装置、１１１，１１３，１１５，１１８  カプラ、１１２，１１４  光送受信器、１１６，１１７  光受信器、１２１，１２３，１２５，１２８  カプラ、１２２，１２４  光送受信器、１２６，１２７  光受信器、１３１〜１３４  信号、１４１，１４２  現用系信号、１４３，１４４  予備系信号、２０１，２０２  光伝送装置、２０３，２０４  下位装置、２１１，２１４，２１５  カプラ、２１２，２１３  光送受信器、２１６  光受信器、２２１，２２４，２２５  カプラ、２２２，２２３  光送受信器、２２６  光受信器、２３１〜２３４  信号、２４１，２４２  現用系信号、２４３，２４４  予備系信号、３０１，３０２  光伝送装置、３０３，３０４  下位装置、３１１，３１５，３１６  カプラ、３１２〜３１４  光送受信器、３１７  光受信器、３２１，３２５，３２６  カプラ、３２２〜３１４  光送受信器、３２７  光受信器、３３１〜３３４  信号、３４１，３４２  現用系信号、３４３，３４４  第１の予備系信号、３４５，３４６  第２の予備系信号。
【図１】
2012222555.tif 000003
【図２】
2012222555.tif 000004
【図３】
2012222555.tif 000005
【図４】
2012222555.tif 000006
【図５】
2012222555.tif 000007
【図６】
2012222555.tif 000008
【図７】
2012222555.tif 000009
【図８】
2012222555.tif 000010
【図９】
2012222555.tif 000011
【図１０】
2012222555.tif 000012